(57)【要約】【課題】訪問者の受付に際してシステムに対する設定の手間を省き、訪問者の通行を細かく管理する。【解決手段】訪問者に対して訪問相手の識別番号とアクセスレベル番号とを記録したビジターカードを発行する受付端末装置１と、カードから情報を読み出すカードリーダ３と、読み出されたカードの識別番号と記憶している識別番号とを照合し、カードが訪問者のビジターカードで、かつ識別番号の照合が一致した場合、このカードから読み出されたアクセスレベル番号に基づいて訪問者の通行を許可するかどうかを判定し、通行許可判定の結果に基づいてドアに設けられた電気錠の開閉を制御する照合装置５とを有する。【選択図】  図１
2005068899.tif 000002
【特許請求の範囲】
【請求項１】
施設内を通行する個人の入退室を情報の書き込みおよび読み出しが可能なカードを用いて管理する入退室管理システムにおいて、
施設内の関係者に対して発行されたカードの識別番号と、施設内の通行に関する権限のレベルを示すアクセスレベル番号とを関係者毎に予め記憶する第１の記憶手段と、
施設を訪れた訪問者に対して、訪問相手の識別番号とアクセスレベル番号とを前記第１の記憶手段から取得して、この取得した情報を記録したビジターカードを発行する受付手段と、
施設内のドアに接近した個人が所持するカードを検出して情報を読み出す読出手段と、
この読出手段によって読み出されたカードの識別番号と前記第１の記憶手段に記憶された識別番号とを照合して個人認証を行う照合手段と、
前記読出手段によって検出されたカードが前記関係者のカードで、かつ前記識別番号の照合が一致した場合、このカードから読み出された識別番号に対応するアクセスレベル番号を前記第１の記憶手段から取得して、取得したアクセスレベル番号に基づいて前記関係者の通行を許可するかどうかを判定する第１の通行許可判定手段と、
前記読出手段によって検出されたカードが前記訪問者のビジターカードで、かつ前記識別番号の照合が一致した場合、このカードから読み出されたアクセスレベル番号に基づいて前記訪問者の通行を許可するかどうかを判定する第２の通行許可判定手段と、
前記第１の通行許可判定手段または前記第２の通行許可判定手段による通行許可判定の結果に基づいて前記ドアに設けられた電気錠の開閉を制御する制御手段とを有することを特徴とする入退室管理システム。
【請求項２】
請求項１記載の入退室管理システムにおいて、
前記アクセスレベル番号に対応する通行可能時間帯をドア毎に予め記憶する第２の記憶手段を有し、
前記第１の記憶手段は、前記識別番号と前記アクセスレベル番号と共に、通行が許可されているドアの番号を示す通行許可ドア番号を関係者毎に予め記憶し、
前記受付手段は、訪問相手の通行許可ドア番号を前記第１の記憶手段から取得して、この通行許可ドア番号を前記識別番号と前記アクセスレベル番号と共に前記ビジターカードに記録し、
前記第１の通行許可判定手段は、前記カードから読み出された識別番号に対応する通行許可ドア番号を前記第１の記憶手段から取得すると共に、前記カードが検出された場所のドア番号と前記第１の記憶手段から取得したアクセスレベル番号とに対応する通行可能時間帯を前記第２の記憶手段から取得して、前記カードが検出された場所のドア番号と前記通行許可ドア番号と前記通行可能時間帯とに基づいて前記関係者の通行を許可するかどうかを判定し、
前記第２の通行許可判定手段は、前記ビジターカードが検出された場所のドア番号と前記ビジターカードから読み出されたアクセスレベル番号とに対応する通行可能時間帯を前記第２の記憶手段から取得して、前記ビジターカードが検出された場所のドア番号と前記ビジターカードから読み出された通行許可ドア番号と前記通行可能時間帯とに基づいて前記訪問者の通行を許可するかどうかを判定することを特徴とする入退室管理システム。
【請求項３】
請求項１記載の入退室管理システムにおいて、
前記訪問者の画像または音声を取得する手段と、
前記訪問相手が前記画像または音声により前記訪問者を確認する端末装置とを有することを特徴とする入退室管理システム。
【請求項４】
請求項１記載の入退室管理システムにおいて、
前記読出手段によって検出されたカードが前記関係者のカードの場合、このカードから読み出された識別番号に対応する管理番号を前記第１の記憶手段から取得して、この管理番号と前記関係者の通行の履歴とを対応付けて記録する第１の記録手段と、
前記読出手段によって検出されたカードが前記訪問者のビジターカードの場合、このカードから読み出された管理番号と前記訪問者の通行の履歴とを対応付けて記録する第２の記録手段とを有し、
前記第１の記憶手段は、前記識別番号と前記アクセスレベル番号と共に、前記関係者に固有の管理番号を関係者毎に予め記憶し、
前記受付手段は、前記訪問者に固有の管理番号を前記ビジターカードに記録することを特徴とする入退室管理システム。
【請求項５】
施設内を通行する個人の入退室を情報の書き込みおよび読み出しが可能なカードを用いて管理する入退室管理方法において、
施設内の関係者に対して発行されたカードの識別番号と、施設内の通行に関する権限のレベルを示すアクセスレベル番号とを関係者毎に予め記憶する第１の記憶手順と、
施設を訪れた訪問者に対して、訪問相手の識別番号とアクセスレベル番号とを前記第１の記憶手順で記憶した情報から取得して、この取得した情報を記録したビジターカードを発行する受付手順と、
施設内のドアに接近した個人が所持するカードを検出して情報を読み出す読出手順と、
この読出手順によって読み出したカードの識別番号と前記第１の記憶手順で記憶した識別番号とを照合して個人認証を行う照合手順と、
前記読出手順によって検出したカードが前記関係者のカードで、かつ前記識別番号の照合が一致した場合、このカードから読み出した識別番号に対応するアクセスレベル番号を前記第１の記憶手順で記憶した情報から取得して、取得したアクセスレベル番号に基づいて前記関係者の通行を許可するかどうかを判定する第１の通行許可判定手順と、
前記読出手順によって検出したカードが前記訪問者のビジターカードで、かつ前記識別番号の照合が一致した場合、このカードから読み出したアクセスレベル番号に基づいて前記訪問者の通行を許可するかどうかを判定する第２の通行許可判定手順と、
前記第１の通行許可判定手順または前記第２の通行許可判定手順による通行許可判定の結果に基づいて前記ドアに設けられた電気錠の開閉を制御する制御手順とを有することを特徴とする入退室管理方法。
【請求項６】
請求項５記載の入退室管理方法において、
前記アクセスレベル番号に対応する通行可能時間帯をドア毎に予め記憶する第２の記憶手順を有し、
前記第１の記憶手順は、前記識別番号と前記アクセスレベル番号と共に、通行が許可されているドアの番号を示す通行許可ドア番号を関係者毎に予め記憶し、
前記受付手順は、訪問相手の通行許可ドア番号を前記第１の記憶手順で記憶した情報から取得して、この通行許可ドア番号を前記識別番号と前記アクセスレベル番号と共に前記ビジターカードに記録し、
前記第１の通行許可判定手順は、前記カードから読み出した識別番号に対応する通行許可ドア番号を前記第１の記憶手順で記憶した情報から取得すると共に、前記カードを検出した場所のドア番号と前記第１の記憶手順から取得したアクセスレベル番号とに対応する通行可能時間帯を前記第２の記憶手順で記憶した情報から取得して、前記カードを検出した場所のドア番号と前記通行許可ドア番号と前記通行可能時間帯とに基づいて前記関係者の通行を許可するかどうかを判定し、
前記第２の通行許可判定手順は、前記ビジターカードを検出した場所のドア番号と前記ビジターカードから読み出したアクセスレベル番号とに対応する通行可能時間帯を前記第２の記憶手順で記憶した情報から取得して、前記ビジターカードを検出した場所のドア番号と前記ビジターカードから読み出した通行許可ドア番号と前記通行可能時間帯とに基づいて前記訪問者の通行を許可するかどうかを判定することを特徴とする入退室管理方法。
【請求項７】
請求項５記載の入退室管理方法において、
前記訪問者の画像または音声を取得する手順と、
前記訪問相手が前記画像または音声により前記訪問者を確認する手順とを有することを特徴とする入退室管理方法。
【請求項８】
請求項５記載の入退室管理方法において、
前記読出手順によって検出したカードが前記関係者のカードの場合、このカードから読み出した識別番号に対応する管理番号を前記第１の記憶手順で記憶した情報から取得して、この管理番号と前記関係者の通行の履歴とを対応付けて記録する第１の記録手順と、
前記読出手順によって検出したカードが前記訪問者のビジターカードの場合、このカードから読み出した管理番号と前記訪問者の通行の履歴とを対応付けて記録する第２の記録手順とを有し、
前記第１の記憶手順は、前記識別番号と前記アクセスレベル番号と共に、前記関係者に固有の管理番号を関係者毎に予め記憶し、
前記受付手順は、前記訪問者に固有の管理番号を前記ビジターカードに記録することを特徴とする入退室管理方法。
【発明の詳細な説明】
【技術分野】
【０００１】
本発明は、例えば事業所等の施設内を通行する個人の入退室を各個人が所持するカードを用いて管理する入退室管理システムおよび入退室管理方法に関し、特に施設を訪れた訪問者の受付を行い、訪問者の施設内の通行を管理することができる入退室管理システムおよび入退室管理方法に関するものである。
【背景技術】
【０００２】
従来より、施設内を通行する個人の入退室を各個人が所持するカードを用いて管理する入退室管理システムが提案されている（例えば、特許文献１、特許文献２参照）。
このようなシステムでは、一時的な訪問者に対しては、（Ａ）受付において訪問者の氏名、訪問相手、訪問の目的等を告げて訪問相手を呼び出し、呼び出された訪問者の先導によってゲートを通過する、（Ｂ）受付において訪問者の氏名、訪問相手、訪問の目的等を予め用意されたビジターカードに記録し、このビジターカードと同様の情報をゲートに登録して、訪問者がビジターカードを用いてゲートを通過できるようにする、（Ｃ）システムの照合装置に予め最低限の情報が登録されたカードを訪問者に渡して、訪問者がこのカードを用いてゲートを通過できるようにする、といった対応をとっていた。
【０００３】
なお、出願人は、本明細書に記載した先行技術文献情報で特定される先行技術文献以外には、本発明に関連する先行技術文献を出願時までに発見するには至らなかった。
【特許文献１】特開２００１−２０２０９０号公報
【特許文献２】特開２０００−１１３０４５号公報
【発明の開示】
【発明が解決しようとする課題】
【０００４】
しかしながら、前述の（Ａ）の方法では、呼び出された訪問相手が受付まで訪問者を迎えに行かなければならないという問題点があった。また、（Ａ）の方法では、訪問相手のカードを使って訪問者を通過させることになるので、同じカードで２回続けて入室または退室できないように規制するアンチパスバック機能や友連れ禁止機能を備えたゲートの通過ができないという問題点があった。
また、前述の（Ｂ）の方法では、訪問者に渡すビジターカードと同様の情報をゲートに設定する必要があり、さらに大規模なシステムでは、設定の内容をシステム全体にも設定する必要があり、設定に手間がかかるという問題点があった。
また、前述の（Ｃ）の方法では、予め最低限の情報を登録したカードを訪問相手の所属先毎に用意する必要があり、多数のカードを用意しなければならないという問題点があった。さらに、（Ｃ）の方法では、訪問者を目的の場所まで通過させるために必要な最低限の情報を登録したカードを用いるため、訪問者の通行を細かく管理することができないという問題点があった。
【０００５】
本発明は、上記課題を解決するためになされたもので、訪問者の受付に際してシステムに対する設定の手間を省き、また訪問者の通行を細かく管理することができる入退室管理システムおよび入退室管理方法を提供することを目的とする。
【課題を解決するための手段】
【０００６】
本発明は、施設内を通行する個人の入退室を情報の書き込みおよび読み出しが可能なカードを用いて管理する入退室管理システムにおいて、施設内の関係者に対して発行されたカードの識別番号と、施設内の通行に関する権限のレベルを示すアクセスレベル番号とを関係者毎に予め記憶する第１の記憶手段と、施設を訪れた訪問者に対して、訪問相手の識別番号とアクセスレベル番号とを前記第１の記憶手段から取得して、この取得した情報を記録したビジターカードを発行する受付手段と、施設内のドアに接近した個人が所持するカードを検出して情報を読み出す読出手段と、この読出手段によって読み出されたカードの識別番号と前記第１の記憶手段に記憶された識別番号とを照合して個人認証を行う照合手段と、前記読出手段によって検出されたカードが前記関係者のカードで、かつ前記識別番号の照合が一致した場合、このカードから読み出された識別番号に対応するアクセスレベル番号を前記第１の記憶手段から取得して、取得したアクセスレベル番号に基づいて前記関係者の通行を許可するかどうかを判定する第１の通行許可判定手段と、前記読出手段によって検出されたカードが前記訪問者のビジターカードで、かつ前記識別番号の照合が一致した場合、このカードから読み出されたアクセスレベル番号に基づいて前記訪問者の通行を許可するかどうかを判定する第２の通行許可判定手段と、前記第１の通行許可判定手段または前記第２の通行許可判定手段による通行許可判定の結果に基づいて前記ドアに設けられた電気錠の開閉を制御する制御手段とを有するものである。
【０００７】
また、本発明の入退室管理システムの１構成例は、前記アクセスレベル番号に対応する通行可能時間帯をドア毎に予め記憶する第２の記憶手段を有し、前記第１の記憶手段は、前記識別番号と前記アクセスレベル番号と共に、通行が許可されているドアの番号を示す通行許可ドア番号を関係者毎に予め記憶し、前記受付手段は、訪問相手の通行許可ドア番号を前記第１の記憶手段から取得して、この通行許可ドア番号を前記識別番号と前記アクセスレベル番号と共に前記ビジターカードに記録し、前記第１の通行許可判定手段は、前記カードから読み出された識別番号に対応する通行許可ドア番号を前記第１の記憶手段から取得すると共に、前記カードが検出された場所のドア番号と前記第１の記憶手段から取得したアクセスレベル番号とに対応する通行可能時間帯を前記第２の記憶手段から取得して、前記カードが検出された場所のドア番号と前記通行許可ドア番号と前記通行可能時間帯とに基づいて前記関係者の通行を許可するかどうかを判定し、前記第２の通行許可判定手段は、前記ビジターカードが検出された場所のドア番号と前記ビジターカードから読み出されたアクセスレベル番号とに対応する通行可能時間帯を前記第２の記憶手段から取得して、前記ビジターカードが検出された場所のドア番号と前記ビジターカードから読み出された通行許可ドア番号と前記通行可能時間帯とに基づいて前記訪問者の通行を許可するかどうかを判定するものである。
【０００８】
また、本発明の入退室管理システムの１構成例は、前記訪問者の画像または音声を取得する手段と、前記訪問相手が前記画像または音声により前記訪問者を確認する端末装置とを有するものである。
また、本発明の入退室管理システムの１構成例は、前記読出手段によって検出されたカードが前記関係者のカードの場合、このカードから読み出された識別番号に対応する管理番号を前記第１の記憶手段から取得して、この管理番号と前記関係者の通行の履歴とを対応付けて記録する第１の記録手段と、前記読出手段によって検出されたカードが前記訪問者のビジターカードの場合、このカードから読み出された管理番号と前記訪問者の通行の履歴とを対応付けて記録する第２の記録手段とを有し、前記第１の記憶手段は、前記識別番号と前記アクセスレベル番号と共に、前記関係者に固有の管理番号を関係者毎に予め記憶し、前記受付手段は、前記訪問者に固有の管理番号を前記ビジターカードに記録するものである。
【０００９】
また、本発明は、施設内を通行する個人の入退室を情報の書き込みおよび読み出しが可能なカードを用いて管理する入退室管理方法において、施設内の関係者に対して発行されたカードの識別番号と、施設内の通行に関する権限のレベルを示すアクセスレベル番号とを関係者毎に予め記憶する第１の記憶手順と、施設を訪れた訪問者に対して、訪問相手の識別番号とアクセスレベル番号とを前記第１の記憶手順で記憶した情報から取得して、この取得した情報を記録したビジターカードを発行する受付手順と、施設内のドアに接近した個人が所持するカードを検出して情報を読み出す読出手順と、この読出手順によって読み出したカードの識別番号と前記第１の記憶手順で記憶した識別番号とを照合して個人認証を行う照合手順と、前記読出手順によって検出したカードが前記関係者のカードで、かつ前記識別番号の照合が一致した場合、このカードから読み出した識別番号に対応するアクセスレベル番号を前記第１の記憶手順で記憶した情報から取得して、取得したアクセスレベル番号に基づいて前記関係者の通行を許可するかどうかを判定する第１の通行許可判定手順と、前記読出手順によって検出したカードが前記訪問者のビジターカードで、かつ前記識別番号の照合が一致した場合、このカードから読み出したアクセスレベル番号に基づいて前記訪問者の通行を許可するかどうかを判定する第２の通行許可判定手順と、前記第１の通行許可判定手順または前記第２の通行許可判定手順による通行許可判定の結果に基づいて前記ドアに設けられた電気錠の開閉を制御する制御手順とを有するものである。
【００１０】
また、本発明の入退室管理方法の１構成例は、前記アクセスレベル番号に対応する通行可能時間帯をドア毎に予め記憶する第２の記憶手順を有し、前記第１の記憶手順は、前記識別番号と前記アクセスレベル番号と共に、通行が許可されているドアの番号を示す通行許可ドア番号を関係者毎に予め記憶し、前記受付手順は、訪問相手の通行許可ドア番号を前記第１の記憶手順で記憶した情報から取得して、この通行許可ドア番号を前記識別番号と前記アクセスレベル番号と共に前記ビジターカードに記録し、前記第１の通行許可判定手順は、前記カードから読み出した識別番号に対応する通行許可ドア番号を前記第１の記憶手順で記憶した情報から取得すると共に、前記カードを検出した場所のドア番号と前記第１の記憶手順から取得したアクセスレベル番号とに対応する通行可能時間帯を前記第２の記憶手順で記憶した情報から取得して、前記カードを検出した場所のドア番号と前記通行許可ドア番号と前記通行可能時間帯とに基づいて前記関係者の通行を許可するかどうかを判定し、前記第２の通行許可判定手順は、前記ビジターカードを検出した場所のドア番号と前記ビジターカードから読み出したアクセスレベル番号とに対応する通行可能時間帯を前記第２の記憶手順で記憶した情報から取得して、前記ビジターカードを検出した場所のドア番号と前記ビジターカードから読み出した通行許可ドア番号と前記通行可能時間帯とに基づいて前記訪問者の通行を許可するかどうかを判定するようにしたものである。
【００１１】
また、本発明の入退室管理方法の１構成例は、前記訪問者の画像または音声を取得する手順と、前記訪問相手が前記画像または音声により前記訪問者を確認する手順とを有するものである。
また、本発明の入退室管理方法の１構成例は、前記読出手順によって検出したカードが前記関係者のカードの場合、このカードから読み出した識別番号に対応する管理番号を前記第１の記憶手順で記憶した情報から取得して、この管理番号と前記関係者の通行の履歴とを対応付けて記録する第１の記録手順と、前記読出手順によって検出したカードが前記訪問者のビジターカードの場合、このカードから読み出した管理番号と前記訪問者の通行の履歴とを対応付けて記録する第２の記録手順とを有し、前記第１の記憶手順は、前記識別番号と前記アクセスレベル番号と共に、前記関係者に固有の管理番号を関係者毎に予め記憶し、前記受付手順は、前記訪問者に固有の管理番号を前記ビジターカードに記録するようにしたものである。
【発明の効果】
【００１２】
本発明によれば、訪問者に対して、訪問相手の識別番号を記録したビジターカードを発行し、読出手段によって読み出されたカードの識別番号と第１の記憶手段に記憶された識別番号とを照合して個人認証を行うようにしたことにより、第１の記憶手段に既に登録されている訪問相手のカードの識別番号を用いて訪問者の認証を行うことができるので、訪問相手が通過可能なドアは訪問者も同様に通過させることができる。その結果、訪問者に対して新たな識別番号を発行する必要がなく、ゲートや照合装置に対する設定の手間を省くことができる。また、訪問相手は、訪問者を受付まで迎えに行く必要がなくなる。また、訪問者のビジターカードに訪問相手のアクセスレベル番号を記録し、読出手段によって検出されたカードが訪問者のビジターカードで、かつ識別番号の照合が一致した場合、ビジターカードから読み出したアクセスレベル番号に基づいて訪問者の通行を許可するかどうかを判定するようにしたので、訪問者の通行に関する権限のレベルを新たに設定することなく、訪問者の通行を細かく規制することができる。さらに、訪問相手の識別番号が記録されたカードであっても、ビジターカードであれば関係者用の第１の通行許可判定手段と異なる第２の通行許可判定手段によって通行許可判定を行うようにしたので、訪問相手のカードと無関係に通行許可判定を行うことができるので、アンチパスバック機能や友連れ禁止機能を備えたドアであっても、訪問者を通過させることができる。
【００１３】
また、アクセスレベル番号に対応する通行可能時間帯をドア毎に予め設定しておくことにより、関係者や訪問者が通行可能な時間帯をドア毎に細かく規制することが容易となる。
【００１４】
また、訪問者の画像または音声を取得する手段と、訪問相手が画像または音声により訪問者を確認する端末装置とを設けることにより、訪問相手（施設内の関係者）は、訪問者をわざわざ出迎えにいくことなく、所属先から訪問者を確認することができる。
【００１５】
また、訪問者に固有の管理番号をビジターカードに記録しておくことで、前述のように訪問相手の識別番号をビジターカードに記録していても、訪問相手と訪問者とを区別して通行の履歴を記録することができる。
【発明を実施するための最良の形態】
【００１６】
以下、本発明の実施の形態について図面を参照して詳細に説明する。図１は本発明の実施の形態となる入退室管理システムの構成を示すブロック図である。図１の入退室管理システムは、例えば事業所等の施設内で勤務する関係者に対しては施設内の通行を管理するシステムとして機能するが、施設を訪問する訪問者に対しては、通行管理だけでなく、受付業務を行うシステムとしても機能する。
【００１７】
図１の入退室管理システムは、施設を訪れた訪問者の受付を行う受付手段となる受付端末装置１と、施設内の各部屋８（８−１１，８−１２，８−１３，８−２１，８−２２，８−２３・・・・）の出入口のドアに設置された電気錠２（２−１１，２−１２，２−１３，２−２１，２−２２，２−２３・・・・）と、各部屋８の出入口付近に設置され、出入口に接近した個人が所持するＩＣカードを検出して情報を読み出す読出手段となるカードリーダ３（３−１１，３−１２，３−１３，３−２１，３−２２，３−２３・・・・）と、訪問相手が画像または音声により訪問者を確認するための確認端末装置４（４−１１，４−１２，４−１３，４−２１，４−２２，４−２３・・・・）と、ＩＣカードを所持する個人の通行を許可するか否かを判定する照合装置５（５−１，５−２）と、分散配置されたカードリーダ３および照合装置５を遠隔制御する中央監視装置６と、受付端末装置１と照合装置５と中央監視装置６とを接続する通信回線であるネットワーク７とから構成される。
【００１８】
図２は受付端末装置１の構成を示すブロック図である。受付端末装置１は、訪問者あるいは受付担当者が訪問者の個人情報を入力すると共に、訪問相手を選択するための個人情報入力部１１と、訪問者の画像または音声を取得する訪問者確認部１２と、訪問者に貸し出すビジターＩＣカード（以下、ビジターカードと呼ぶ）を発行するカード発行部１３と、ビジターカードに情報を書き込むカード情報書込部１４と、ビジターカードから情報を読み出すカード情報読出部１５と、受付端末装置全体を制御する制御部１６とを有する。
【００１９】
図３はカードリーダ３の構成を示すブロック図である。カードリーダ３は、情報の書き込みおよび読み出しが可能なＩＣカードから情報を読み出すカード情報読出部３１と、カードリーダ３の設置場所のドア番号を記憶する記憶部３２と、照合装置５による入室許可判断の結果を表示する結果出力部３３と、カードリーダ全体を制御する制御部３４とを有する。
図４は確認端末装置４の構成を示すブロック図である。確認端末装置４は、訪問相手が訪問者を確認するための表示部４１と、訪問相手が訪問者確認の後に訪問者の受付を許可するための受付許可入力部４２と、確認端末装置全体を制御する制御部４３とを有する。
【００２０】
図５は照合装置５の構成を示すブロック図である。照合装置５は、カードリーダ３によって読み出されたＩＣカードの識別番号（以下、カードＩＤと呼ぶ）と後述する記憶部５６に記憶されたカードＩＤとを照合して個人認証を行うカードＩＤ照合部５１と、カードリーダ３によって検出されたカードが関係者のカードの場合に関係者の通行を許可するかどうかを判定する第１の通行許可判定部５２と、カードリーダ３によって検出されたカードが訪問者のカードの場合に訪問者の通行を許可するかどうかを判定する第２の通行許可判定部５３と、関係者の通行の履歴を記録する第１の記録部５４と、訪問者の通行の履歴を記録する第２の記録部５５と、関係者の情報を予め記憶する第１の記憶手段および後述する通行可能時間帯をドア毎に予め記憶する第２の記憶手段となる記憶部５６と、照合装置全体を制御する制御部５７とを有する。
【００２１】
なお、確認端末装置４、照合装置５および中央監視装置６の構成は、ＣＰＵ、記憶装置及びインタフェースを備えたコンピュータとこれらのハードウェア資源を制御するプログラムによって実現することができる。
【００２２】
図６（ａ）は各照合装置５に予め設定される設定情報の１例を示す図、図６（ｂ）はビジターカードに設定される設定情報の１例を示す図である。
照合装置５に設定される設定情報Ｄ１は、施設内で勤務する関係者のＩＣカードに付与されたカードＩＤと、関係者に付与された固有の管理番号と、関係者の氏名と、所属先の名称と、パスワードと、電話番号と、電子メールアドレスと、施設内の通行に関する権限のレベルを示すアクセスレベル番号と、通行が許可されているドアの番号を示す通行許可ドア番号と、ＩＣカードの有効期限と、訪問者に対して発行されたビジターカードか否かを示すビジターフラグとからなる。このような関係者毎の設定情報Ｄ１は、施設の管理者によって中央監視装置６に予め設定されており、中央監視装置６から各照合装置５の記憶部５６に設定される。
【００２３】
ビジターカードに設定される設定情報Ｄ２も、照合装置５の設定情報Ｄ１と同様の構成である。図６（ａ）の照合装置５の設定情報Ｄ１では、ビジターフラグが無効を表す空欄になっているのに対し、図６（ｂ）のビジターカードの設定情報Ｄ２では、ビジターフラグが有効を表す「＊」になっていることが分かる。
【００２４】
また、各照合装置５の記憶部５６には、アクセスレベル番号に対応する通行可能時間帯をドア毎に定めた通行可能時間帯テーブルＴが設定されている。図７に通行可能時間帯テーブルＴの１例を示す。通行可能時間帯テーブルＴは、ドア番号とアクセスレベル番号と通行可能時間帯とを対応付けたものである。図７の例では、ドア番号が「１」でアクセスレベル番号が「１」の場合の通行可能時間帯は、７時から２１時である。このような通行可能時間帯テーブルＴも、管理者によって中央監視装置６に予め設定されており、中央監視装置６から各照合装置５の記憶部５６に設定される。
なお、関係者のＩＣカードには、図６（ａ）の情報を全て記録する必要はなく、少なくともカードＩＤが記録されていればよい。
【００２５】
以下、本実施の形態の入退室管理システムの動作を説明する。図８は受付端末装置１の動作を示すフローチャート、図９はカードリーダ３の動作を示すフローチャート、図１０は照合装置５の動作を示すフローチャートである。
まず、訪問者あるいは施設の受付担当者は、訪問者がビジターカードを持っていない場合（図８ステップ１０１においてＮＯ）、受付端末装置１の個人情報入力部１１を操作して、訪問者の氏名、所属、電話番号、電子メールアドレス等の個人情報を入力し（ステップ１０２）、続いて訪問相手の関係者を選択する（ステップ１０３）。訪問相手の選択は、例えば受付端末装置１が中央監視装置６から取得して表示した全関係者の氏名の中から選択するようにすればよい。
【００２６】
一方、訪問者がビジターカードを持っている場合、受付端末装置１のカード情報読出部１５は、訪問者のビジターカードから個人情報を読み出した後（ステップ１０４）、訪問相手の関係者を選択する（ステップ１０３）。
ステップ１０３の終了後、受付端末装置１の制御部１６は、訪問者の確認を訪問相手に求める（ステップ１０５）。この訪問者の確認は、以下のようにして行われる。
【００２７】
すなわち、図示しないカメラを備えた訪問者確認部１２が訪問者を撮像して、制御部１６が訪問者確認部１２によって撮像された訪問者の画像を訪問相手が所属する部屋８の確認端末装置４に送る。確認端末装置４の制御部４３は、受信した訪問者の画像を表示部４１に表示させる。訪問相手は、表示部４１に表示された訪問者の画像を見て、訪問者本人に間違いないと判断した場合、受付許可入力部４２に受付許可を入力し、訪問者本人とは異なる等の理由により受付を許可すべきでないと判断した場合、受付不許可を入力する。制御部４３は、受付許可入力部４２への入力に応じて受付許可信号または受付不許可信号を受付端末装置１に送信する。
【００２８】
なお、本実施の形態では、訪問者を画像で確認するようにしているが、音声で確認するようにしてもよいし、画像と音声を組み合わせてもよい。訪問者を音声で確認するためには、受付端末装置１と確認端末装置４にそれぞれ電話機を設け、訪問者を電話で確認すればよい。
【００２９】
受付端末装置１の制御部１６は、受付不許可信号を受信した場合（ステップ１０６においてＮＯ）、訪問者の受付を拒否する。
受付許可信号を受信し、かつ訪問者がビジターカードを所持していない場合（ステップ１０７においてＮＯ）、受付端末装置１のカード情報書込部１４は、ステップ１０２で入力された訪問者の個人情報をＩＣカードに書き込むと共に（ステップ１０８）、カードＩＤと管理番号とアクセスレベル番号と通行許可ドア番号と有効期限とビジターフラグとをＩＣカードに書き込み（ステップ１０９）、このような書込がなされたＩＣカードをカード発行部１３がビジターカードとして訪問者に発行する（ステップ１１０）。
【００３０】
一方、受付許可信号を受信し、かつ訪問者がビジターカードを所持している場合（ステップ１０７においてＹＥＳ）、カード発行部１３にビジターカードを挿入させた後（ステップ１１１）、カード情報書込部１４は、ビジターカードに記録済みのカードＩＤと管理番号とアクセスレベル番号と通行許可ドア番号と有効期限とビジターフラグとを更新し（ステップ１０９）、情報が更新されたビジターカードをカード発行部１３が訪問者に発行する（ステップ１１０）。
【００３１】
なお、ステップ１０９においては、ステップ１０３で選択された訪問相手のカードＩＤ、アクセスレベル番号、通行許可ドア番号が中央監視装置６から取得され、これらが訪問者のカードＩＤ、アクセスレベル番号、通行許可ドア番号としてビジターカードに書き込まれる。また、管理番号については、例えば当日の受付順に発行された番号がビジターカードに書き込まれ、有効期限については、所定の日付けが書き込まれる。そして、有効を表す「＊」がビジターフラグに設定される。
以上で、受付端末装置１による訪問者の受付が終了する。
【００３２】
次に、入退室管理システムは、訪問者の施設内の通行を管理する。カードリーダ３の制御部３４は、ＩＣカードを所持する人が部屋８の出入口に接近してＩＣカードを提示した場合（図９ステップ２０１）、このＩＣカードからカード情報読出部３１を通じてビジターフラグを読み出し、ビジターフラグに基づいてビジターカードか否かを判定する（ステップ２０２）。
【００３３】
制御部３４は、提示されたＩＣカードをビジターカードと判定した場合、ビジターカードからカード情報読出部３１を通じて個人情報とカードＩＤと管理番号とアクセスレベル番号と通行許可ドア番号と有効期限とを読み出して（ステップ２０３）、読み出したこれらの情報と記憶部３２に記憶されたドア番号とを含むビジター照合要求を上位の照合装置５に対して発行し（ステップ２０４）、照合装置５からの応答を待つ（ステップ２０５）。
【００３４】
また、制御部３４は、提示されたＩＣカードをビジターカードではないと判定した場合、このＩＣカードからカードＩＤを読み出し（ステップ２０６）、読み出したカードＩＤと記憶部３２に記憶されたドア番号とを含む通常照合要求を上位の照合装置５に対して発行し（ステップ２０７）、照合装置５からの応答を待つ（ステップ２０５）。
【００３５】
照合装置５の制御部５７は、カードリーダ３からの照合要求を待っており（図１０ステップ３０１）、ビジター照合要求あるいは通常照合要求を受信すると、カードＩＤ照合部５１にカードＩＤに基づく個人認証を実行させる（ステップ３０２）。カードＩＤ照合部５１は、受信したビジター照合要求あるいは通常照合要求に含まれるカードＩＤを抽出して、このカードＩＤを記憶部５６に設定された設定情報Ｄ１のカードＩＤと比較する（ステップ３０３）。
【００３６】
カードＩＤ照合部５１は、照合要求から抽出したものと同じカードＩＤが記憶部５６の設定情報Ｄ１に存在しない場合、認証失敗とする（ステップ３０３においてＮＯ）。制御部５７は、カードＩＤに基づく個人認証に失敗した場合、入室を不許可とし、入室不許可信号を要求元のカードリーダ３に送信する（ステップ３１３）。入室不許可信号を受信したカードリーダ３の制御部３４は、結果出力部３３に「通行できません」と表示させる（図９ステップ２０８）。
【００３７】
照合要求から抽出したものと同じカードＩＤが記憶部５６の設定情報Ｄ１に存在する場合、カードＩＤ照合部５１は、認証成功とする。制御部５７は、カードＩＤに基づく個人認証に成功した場合、カードリーダ３からの要求がビジター照合要求かどうかを判定し（ステップ３０４）、ビジター照合要求である場合、第２の通行許可判定部５３に入室許可判断を実行させる。第２の通行許可判定部５３は、ビジター照合要求に含まれるアクセスレベル番号と通行許可ドア番号とを抽出して（ステップ３０５）、抽出したアクセスレベル番号と通行許可ドア番号とに基づいて入室を許可するかどうかを判断する（ステップ３０６）。
【００３８】
第２の通行許可判定部５３は、ビジター照合要求を発したカードリーダ３（ビジターカードを検出したカードリーダ３）の設置場所が通行許可ドア番号で指定されたドアに該当し、かつビジター照合要求を受信した時刻がカードリーダ３の設置場所のドア番号とアクセスレベル番号とに対応する通行可能時間帯内であれば、入室可能な条件を満たしていると判断して、入室を許可する。
【００３９】
例えば、カードＩＤ「１００２」のビジターカードを所持する訪問者は、図６（ｂ）の通行許可ドア番号から明らかなように、番号「１」，「２」，「３」，「４」のドアの通行が許可されており、アクセスレベル番号は「２」である。記憶部５６の通行可能時間帯テーブルＴによれば、ドア番号が「１」でアクセスレベル番号が「２」の場合の通行可能時間帯は、７時から２０時である。したがって、訪問者が７時から２０時の間に、番号「１」のドアを通って入室しようとすれば、この入室は許可される。なお、カードリーダ３の設置場所は、照合要求に含まれるドア番号で認識することができる。
【００４０】
第２の通行許可判定部５３は、ビジター照合要求を発したカードリーダ３の設置場所が通行許可ドア番号で指定されたドアでない場合には、入室を不許可とし、この設置場所が通行許可ドア番号で指定されたドアであっても、ビジター照合要求を受信した時刻が設置場所のドア番号とアクセスレベル番号とに対応する通行可能時間帯でない場合には、入室を不許可とする。
【００４１】
また、ステップ３０４において通常照合要求と判定した場合、照合装置５の制御部５７は、第１の通行許可判定部５２に入室許可判断を実行させる。第１の通行許可判定部５２は、通常照合要求から抽出したカードＩＤに対応するアクセスレベル番号と通行許可ドア番号とを記憶部５６の設定情報Ｄ１から読み出して（ステップ３０７）、読み出したアクセスレベル番号と通行許可ドア番号とに基づいて入室を許可するかどうかを判断する（ステップ３０６）。この第１の通行許可判定部５２による入室許可判断は、アクセスレベル番号と通行許可ドア番号とを記憶部５６から取得する点と、カードリーダ３が検出したカードが関係者のＩＣカードである点を除けば、ビジター照合の場合と同じである。
【００４２】
なお、第２の通行許可判定部５３は、ビジター照合要求に含まれる有効期限が切れている場合には、入室を不許可とする。同様に、第１の通行許可判定部５２は、通常照合要求から抽出したカードＩＤに対応する有効期限を記憶部５６の設定情報Ｄ１から読み出したとき、有効期限が切れている場合には、入室を不許可とする。
【００４３】
制御部５７は、第２の通行許可判定部５３あるいは第１の通行許可判定部５２による入室許可判断の結果、入室不許可と判断された場合（ステップ３０８においてＮＯ）、入室不許可信号を要求元のカードリーダ３に送信する（ステップ３１３）。入室不許可信号を受信したカードリーダ３の制御部３４は、結果出力部３３に「通行できません」と表示させる（図９ステップ２０８）。また、制御部５７は、入室許可と判断された場合、照合要求を発したカードリーダ３の設置場所の電気錠２に入室許可信号を送信してドアを解錠させる（ステップ３０９）。
【００４４】
続いて、制御部５７は、カードリーダ３からの要求がビジター照合要求の場合（ステップ３１０においてＹＥＳ）、入室を示す情報とビジター照合要求から抽出した個人情報と管理番号とを含む入室履歴データを第２の記録部５５から中央監視装置６に送信させる（ステップ３１１）。また、制御部５７は、カードリーダ３からの要求が通常照合要求の場合（ステップ３１０においてＹＥＳ）、通常照合要求から抽出したカードＩＤに対応する管理番号を記憶部５６の設定情報Ｄ１から取得して、入室を示す情報と管理番号とを含む入室履歴データを第１の記録部５４から中央監視装置６に送信させる（ステップ３１２）。中央監視装置６は、照合装置５から送られた入室履歴データを蓄積する。
【００４５】
履歴データの送信後、制御部５７は、入室許可信号を要求元のカードリーダ３に送信する（ステップ３１３）。入室許可信号を受信したカードリーダ３の制御部３４は、結果出力部３３に「通行できます」と表示させる（ステップ２０８）。
以上で、照合装置５の動作が終了し、照合装置５は、カードリーダ３からの照合要求を待つ状態に戻る（ステップ３０１）。
【００４６】
なお、本実施の形態では、入室の場合のみ説明したが、退室の場合には、退室用カードリーダあるいは入退室共用のカードリーダ３でカードの情報を読み取り、ビジターカードの場合には、退室を示す情報とカードから読み取った個人情報と管理番号とを含む退室履歴データを第２の記録部５５から中央監視装置６に送る。また、関係者のＩＣカードの場合には、退室を示す情報とカードから読み取ったカードＩＤに対応する管理番号を記憶部５６から取得して、退室を示す情報と管理番号とを含む退室履歴データを第１の記録部５４から中央監視装置６に送る。こうして、施設内を通行する人の入退室を管理することができる。
【００４７】
以上のように、本実施の形態では、訪問者に対して、訪問相手のカードＩＤを記録したビジターカードを発行し、ビジターカードのカードＩＤを用いて個人認証を行うようにしたので、訪問相手が通過可能なドアは訪問者も同様に通過させることができる。その結果、訪問者に対して新たなカードＩＤを発行する必要がなく、照合装置５や中央監視装置６に対する設定の手間を省くことができる。また、訪問者のビジターカードに訪問相手のアクセスレベル番号を記録し、カードリーダ３によって検出されたカードがビジターカードの場合、ビジターカードから読み出したアクセスレベル番号に基づいて訪問者の通行を許可するかどうかを判定するようにしたので、訪問者のアクセスレベルを新たに設定することなく、訪問者の通行を細かく規制することができる。さらに、訪問相手のカードＩＤが記録されたカードであっても、ビジターカードであれば、訪問相手のＩＣカードと無関係に通行許可判定を行うことができるようにしたので、アンチパスバック機能や友連れ禁止機能を備えたドアであっても、訪問者を通過させることができる。
なお、本実施の形態では、個人認証にカードＩＤを用いているが、パスワードを用いるようにしてもよい。
【産業上の利用可能性】
【００４８】
本発明は、入退室管理システムにおいて、訪問者の受付と通行の管理を行う場合に適用できる。
【図面の簡単な説明】
【００４９】
【図１】本発明の実施の形態となる入退室管理システムの構成を示すブロック図である。
【図２】本発明の実施の形態における受付端末装置の構成を示すブロック図である。
【図３】本発明の実施の形態におけるカードリーダの構成を示すブロック図である。
【図４】本発明の実施の形態における確認端末装置の構成を示すブロック図である。
【図５】本発明の実施の形態における照合装置の構成を示すブロック図である。
【図６】本発明の実施の形態において照合装置に設定される設定情報および訪問者に貸し出すＩＣカードに設定される設定情報の１例を示す図である。
【図７】本発明の実施の形態におけて照合装置に設定される通行可能時間帯テーブルの１例を示す図である。
【図８】本発明の実施の形態における受付端末装置の動作を示すフローチャートである。
【図９】本発明の実施の形態におけるカードリーダの動作を示すフローチャートである。
【図１０】本発明の実施の形態における照合装置の動作を示すフローチャートである。
【符号の説明】
【００５０】
１…受付端末装置、２…電気錠、３…カードリーダ、４…確認端末装置、５…照合装置、６…中央監視装置、７…ネットワーク、８…部屋、１１…個人情報入力部、１２…訪問者確認部、１３…カード発行部、１４…カード情報書込部、１５…カード情報読出部、１６…制御部、３１…カード情報読出部、３２…記憶部、３３…結果出力部、３４…制御部、４１…表示部、４２…受付許可入力部、４３…制御部、５１…カードＩＤ照合部、５２…第１の通行許可判定部、５３…第２の通行許可判定部、５４…第１の記録部、５５…第２の記録部、５６…記憶部、５７…制御部。
【図１】
2005068899.tif 000003
【図２】
2005068899.tif 000004
【図３】
2005068899.tif 000005
【図４】
2005068899.tif 000006
【図５】
2005068899.tif 000007
【図６】
2005068899.tif 000008
【図７】
2005068899.tif 000009
【図８】
2005068899.tif 000010
【図９】
2005068899.tif 000011
【図１０】
2005068899.tif 000012